(57)【特許請求の範囲】
【請求項１】
出力信号を発生する信号源、前記信号源からの出力信号を変調する変調部、前記変調部にて変調された出力信号を送信するアンテナ、前記アンテナによって受信された応答信号としての反射波を出力信号と分波する分波器、前記応答信号を復調する復調部、前記復調部からの信号を処理するデータ処理部、前記処理部のデータに基づいて質問器を制御する制御部、を有した質問器と、
前記質問器から送出される信号が入力されるとともに、前記応答信号としての反射波を、前記質問器のアンテナに送出する応答器用アンテナ、受信した前記入力信号を復調する復調部、前記復調部の復調毎に、前記応答信号に用いる入力信号の変調度を制御する制御信号を出力する制御部、前記制御信号を用いて、前記復調部の復調毎に、異なる吸収量により振幅変調する第１、第２、第３の吸収器から組み合わせの異なる２つの前記吸収器を切り替える切り替え器を制御して、前記応答信号に用いる入力信号を、振幅変調し、前記応答信号として出力する変調部、を有した応答器と、
を含む移動体識別システム。
【請求項２】
第１回目の復調信号は、前記第１、第２の吸収器を切り替えることによって、前記質問器からの入力信号を、応答信号としての反射波に振幅変調し、第２回目以降の復調信号は、前記第１、第３の吸収器を切り替えることによって振幅変調する請求項１記載の移動体識別システム。
【請求項３】
前記第１の吸収器の吸収量を０ｄＢ、前記第２の吸収器の吸収量を１０ｄＢ、前記第３の吸収器の吸収量を２０ｄＢとする請求項１記載の移動体識別システム。
【請求項４】
前記応答器の応答信号は、固体認識データ列と情報データ列とを含むデータ列で構成され、固体認識データ列送信時には前記第１、第３の吸収器を切り替えることによって、前記質問器からの入力信号を応答信号としての反射波に振幅変調し、情報データ列送信時には、前記第１、第２の吸収器を切り替えることによって振幅変調する請求項１記載の移動体識別システム。
【請求項５】
出力信号を発生する信号源、前記信号源からの出力信号を変調する変調部、前記変調部にて変調された出力信号を送信するアンテナ、前記アンテナによって受信された応答信号としての反射波を出力信号と分波する分波器、前記応答信号を復調する復調部、前記復調部からの信号を処理するデータ処理部、前記処理部のデータに基づいて質問器を制御する制御部、を有した質問器と、
前記質問器から送出される信号が入力されるとともに、前記質問器のアンテナに応答信号を送出する応答器用アンテナ、受信した前記入力信号を復調する復調部、前記質問器との通信の回数に応じて、前記復調部の復調毎に、前記応答信号に用いる入力信号の変調度を制御する制御信号を出力する制御部、前記制御信号を用いて、異なる位相量により位相変調する第１、第２、第３の移相器から、前記質問器との通信の回数に応じて、前記復調部の復調毎に、組合せの異なる２つの前記移相器を切り替る切り替え器を制御して、前記応答信号に用いる入力信号を、位相変調し、前記応答信号として出力する変調部、を有した応答器と、
を含む移動体識別システム。
【請求項６】
第１回目の復調信号は、前記第１、第２の移相器を切り替えることによって、前記質問器からの入力信号を、応答信号としての反射波に位相変調し、第２回目以降の復調信号は、前記第１、第３の移相器を切り替えることによって位相変調する請求項５記載の移動体識別システム。
【請求項７】
前記第１の移相器の位相量を０度、前記第２の移相器の位相量を１７０度、前記第３の移相器の位相量を１８０度とする請求項５記載の移動体識別システム。
【請求項８】
前記応答器の応答信号は、固体認識データ列と情報データ列とを含むデータ列で構成され、固体認識データ列送信時には前記第１、第３の移相器を切り替えることによって、前記質問器からの入力信号を応答信号としての反射波に位相変調し、情報データ列送信時には、前記第１、第２の移相器を切り替えることによって位相変調する請求項５記載の移動体識別システム。
【請求項９】
出力信号を発生する信号源、前記信号源からの出力信号を変調する変調部、前記変調部にて変調された出力信号を送信するアンテナ、前記アンテナによって受信された応答信号としての反射波を出力信号と分波する分波器、前記応答信号を復調する復調部、前記復調部からの信号を処理するデータ処理部、前記処理部のデータに基づいて質問器を制御する制御部、を有した質問器と、
前記質問器から送出される信号が入力されるとともに、前記質問器のアンテナに応答信号を送出する応答器用アンテナ、受信した前記入力信号を復調する復調部、前記質問器との通信の回数に応じて、前記復調部の復調毎に、前記応答信号に用いる入力信号の変調度および反射量を制御する制御信号を出力する制御部、異なる減衰量による減衰信号を出力する減衰器と、前記減衰信号を、異なる位相量により位相変調する第１、第２、第３の移相器と、前記減衰信号と前記移相器との異なる組合せを、前記質問器との通信の回数に応じて、前記復調部の復調毎に、切り替る切り替え器と、を前記制御信号を用いて制御して、位相変調し、前記応答信号として出力する変調部、を有した応答器と、
を含む移動体識別システム。
【請求項１０】
第１回目の復調信号は、前記質問器からの入力信号を前記減衰器で減衰させ、前記第１、第２の移相器を切り替えることによって、応答信号としての反射波に位相変調し、第２回目の復調信号は、前記減衰器を用いず、前記第１、第２の移相器を切り替ることによって位相変調し、第３回目の復調信号は、前記減衰器を用いず、前記第１、第３の移相器を切り替えることによって位相変調する請求項９記載の移動体識別システム。
【請求項１１】
前記第１の移相器の位相量を０度、前記第２の移相器の位相量を１７０度、前記第３の移相器の位相量を１８０度とする請求項９記載の移動体識別システム。
【請求項１２】
前記減衰器の減衰量を１０ｄＢとする請求項９記載の移動体識別システム。
【請求項１３】
前記応答器の応答信号は、固体認識データ列と情報データ列とを含むデータ列で構成され、固体認識データ列送信時には前記減衰器を用いず、前記第１、第３の移相器を切り替えることによって、応答信号としての反射波に位相変調し、情報データ列送信時には前記減衰器で減衰させ、前記第１、第３の移相器を切り替えることによって位相変調する請求項９記載の移動体識別システム。
【請求項１４】
前記応答器の応答信号は、固体認識データ列と情報データ列とを含むデータ列で構成され、第1回目の固体認識データ列送信時には、前記質問器からの入力信号を前記減衰器で減衰させ、前記第１、第３の移相器を切り替えることによって、応答信号としての反射波に位相変調し、第1回目の情報データ列送信時には前記質問器からの信号を前記減衰器で減衰させ、前記第１、第２の移相器を切り替えることによって位相変調し、第２回目以降の固体認識データ列送信時には前記減衰器を用いず、前記第１、第３の移相器を切り替えることによって、応答信号としての反射波に位相変調し、第２回目以降の情報データ列送信時には前記減衰器を用いず、前記第１、第２の移相器を切り替えることによって位相変調する請求項９記載の移動体識別システム。
【請求項１５】
前記質問器からの送信中止命令を認識し、前記応答器からの応答信号送信を中止する請求項１、５および９のいずれかに記載の移動体識別システム。
【請求項１６】
出力信号を送信するアンテナと応答信号を受信する受信アンテナを有する質問器と、前記質問器と通信を行う応答器より構成される請求項１、５および９のいずれかに記載の移動体識別システム。
【発明の詳細な説明】
【０００１】
【発明の属する技術分野】
本発明は質問器及び応答器を備えた移動体識別システムに関する。
【０００２】
【従来の技術】
従来、移動体識別システムとしては特開平８−１２３９１９号公報に記載された非接触ＩＣカードシステムによるものが知られている。
【０００３】
図６に従来の非接触ＩＣカードシステムの通信方法を示す。このシステムは、例えば複数のカード６０１ａ、６０１ｂ、６０１ｃが通信エリアに入ってきた時にも、リードライト装置６０２は通信エリア内のカード６０１ａ、６０１ｂ、６０１ｃとアクセスが可能で、カード６０１ａ、６０１ｂ、６０１ｃがリードライト装置６０２が指示する第１の条件６０３と自身のＩＤコードよりＩＤコードを含むレスポンスブロック６０４を返送するタイミングを決定すると共に、リードライト装置６０２にカード６０１ａ、６０１ｂ、６０１ｃが返送するレスポンスブロック６０４を受信させ、データ衝突を検知させ、この結果に基づいて条件を変化させてＩＤコードを含むレスポンスブロックの再送要求６０５をさせる。
【０００４】
例えば、カード６０１ａは再送要求よりＴＯ後、その他のカード６０１ｂ、６０１ｃはＴＯ＋Ｔ（ＩＤ）後にレスポンスブロック６０６を再送する。リードライト装置６０２は衝突のなかったカード６０１aからのレスポンスブロック６０６aを処理する。更に、再送要求６０７をし、カード６０１ｂが再送要求よりＴＯ後、その他のカード６０１ｃがＴＯ＋Ｔ（ＩＤ）後にレスポンスブロック６０８を再送する。この繰り返しによりカード６０１から衝突無くレスポンスブロックを受信し、複数のカードとの通信を行う。
【０００５】
【発明が解決しようとする課題】
この移動体識別システムにおいては、小型かつ安価で、同一エリア内の複数応答器からの情報を短時間で読み取ることが要求されている。
【０００６】
本発明は、このような移動体識別システムにおいて、小型かつ安価で、同一エリア内の複数応答器からの情報を短時間で読み取ることのできるシステムを構成することを目的とする。
【０００７】
【課題を解決するための手段】
この課題を解決するために本発明は、応答器側に段階的な複数の変調器を具備し、通信条件に応じて通信品質を変化させるように構成したものである。
【０００８】
これにより、小型かつ安価で、同一エリア内の複数応答器のデータを短時間で読み取ることのできる移動体識別システムが構成できる。
【０００９】
【発明の実施の形態】
本発明の請求項１に記載の発明は、出力信号を発生する信号源、前記信号源からの出力信号を変調する変調部、前記変調部にて変調された出力信号を送信するアンテナ、前記アンテナによって受信された応答信号としての反射波を出力信号と分波する分波器、前記応答信号を復調する復調部、前記復調部からの信号を処理するデータ処理部、前記処理部のデータに基づいて質問器を制御する制御部、を有した質問器と、前記質問器から送出される信号が入力されるとともに、前記応答信号としての反射波を、前記質問器のアンテナに送出する応答器用アンテナ、受信した前記入力信号を復調する復調部、前記復調部の復調毎に、前記応答信号に用いる入力信号の変調度を制御する制御信号を出力する制御部、前記制御信号を用いて、前記復調部の復調毎に、異なる吸収量により振幅変調する第１、第２、第３の吸収器から組み合わせの異なる２つの前記吸収器を切り替える切り替え器を制御して、前記応答信号に用いる入力信号を、振幅変調し、前記応答信号として出力する変調部、を有した応答器と、を含む移動体識別システムとしたものである。
【００１０】
これにより、応答器が吸収量の異なる吸収器を用いて質問器からの信号を振幅変調することによって、応答器毎に変調度の異なる波を応答信号として反射し、質問器が複数の応答器からの応答信号を変調度の違いによって分離し、各応答器からの応答信号を同時に復調することを可能にすることで、小型かつ安価で、同一エリア内の複数応答器のデータを短時間で読み取ることができるという作用を有する。
【００１１】
更に、応答器が任意の変調度を選択することによって、通信の度に変調度の異なる波を応答信号として反射し、質問器が複数の応答器からの応答信号を変調度の違いによって分離し、各応答器からの応答信号を同時に復調すること可能にすることで、小型かつ安価で、同一エリア内の複数応答器のデータを短時間で読み取ることができるという作用を有する。
【００１２】
請求項２に記載の発明は、請求項１に記載の移動体識別システムにおいて、第１回目の復調信号は、前記第１、第２の吸収器を切り替えることによって、前記質問器からの入力信号を、応答信号としての反射波に振幅変調し、第２回目以降の復調信号は、前記第１、第３の吸収器を切り替えることによって振幅変調するものであり、応答器が第１回目通信時の変調度と、第2回目以降の通信時の変調度を切り替えることによって、質問器が第1回目通信にてデータの読み取りに失敗した応答器の応答信号を変調度の違いによって分離、復調することで、小型かつ安価で、同一エリア内の複数応答器のデータを短時間で読み取ることができるという作用を有する。
【００１３】
請求項３に記載の発明は、請求項１に記載の移動体識別システムにおいて、前記第１の吸収器の吸収量を０ｄＢ、前記第２の吸収器の吸収量を１０ｄＢ、前記第３の吸収器の吸収量を２０ｄＢとするものであり、応答器が変調度の大きい振幅変調と、変調度の小さい振幅変調をすることによって、質問器が複数の応答器からの応答信号を変調度の違いで分離し、各応答器からの応答信号を同時に復調することを可能にすることで、小型かつ安価で、同一エリア内の複数応答器のデータを短時間で読み取ることができるという作用を有する。
【００１４】
請求項４に記載の発明は、請求項１に記載の移動体識別システムにおいて、前記応答器の応答信号は、固体認識データ列と情報データ列を含むデータ列で構成され、固体認識データ列送信時には前記第１、第３の吸収器を切り替えることによって、前記質問器からの入力信号を応答信号としての反射波に振幅変調し、情報データ列送信時には、前記第１、第２の吸収器を切り替えることによって振幅変調するものであり、応答器が固体認識データ列送信時の変調度と、情報データ列送信時の変調度を切替えることによって、複数の応答器から固体認識データ列と情報データ列が同時に送られてきても、質問器が変調度の違いによって応答信号を分離し、同時に復調することを可能にすることで、小型かつ安価で、同一エリア内の複数応答器のデータを短時間で読み取ることができるという作用を有する。
【００１５】
請求項５に記載の発明は、出力信号を発生する信号源、前記信号源からの出力信号を変調する変調部、前記変調部にて変調された出力信号を送信するアンテナ、前記アンテナによって受信された応答信号としての反射波を出力信号と分波する分波器、前記応答信号を復調する復調部、前記復調部からの信号を処理するデータ処理部、前記処理部のデータに基づいて質問器を制御する制御部、を有した質問器と、前記質問器から送出される信号が入力されるとともに、前記質問器のアンテナに応答信号を送出する応答器用アンテナ、受信した前記入力信号を復調する復調部、前記質問器との通信の回数に応じて、前記復調部の復調毎に、前記応答信号に用いる入力信号の変調度を制御する制御信号を出力する制御部、前記制御信号を用いて、異なる位相量により位相変調する第１、第２、第３の移相器から、前記質問器との通信の回数に応じて、前記復調部の復調毎に、組合せの異なる２つの前記移相器を切り替る切り替え器を制御して、前記応答信号に用いる入力信号を、位相変調し、前記応答信号として出力する変調部、とを有した応答器と、を含む移動体識別システムとしたものである。
【００１６】
これにより、応答器が位相量の異なる移相器を用いて質問器からの信号を位相変調することによって、応答器毎に変調度の異なる波を応答信号として反射し、質問器が複数の応答器からの応答信号を変調度の違いによって分離し、各応答器からの応答信号を同時に復調することを可能にすることで、小型かつ安価で、同一エリア内の複数応答器のデータを短時間で読み取ることができるという作用を有する。
【００１７】
更に、応答器が任意の変調度を選択することによって通信の度に変調度の異なる波を応答信号として反射し、質問器が複数の応答器からの応答信号を変調度の違いによって分離し、各応答器からの応答信号を同時に復調することを可能にすることで、小型かつ安価で、同一エリア内の複数応答器のデータを短時間で読み取ることができるという作用を有する。
【００１８】
請求項６に記載の発明は、請求項６に記載の移動体識別システムにおいて、第１回目の復調信号は、前記第１、第２の移相器を切り替えることによって、前記質問器からの入力信号を、応答信号としての反射波に位相変調し、第２回目以降の復調信号は、前記第１、第３の移相器を切り替えることによって位相変調するものであり、応答器が第１回目通信時の変調度と、第2回目以降の通信時の変調度を切り替えることによって、質問器が第1回目通信にてデータの読み取りに失敗した応答器の応答信号を変調度の違いによって分離、復調することで、小型かつ安価で、同一エリア内の複数応答器のデータを短時間で読み取ることができるという作用を有する。
【００１９】
請求項７に記載の発明は、請求項６に記載の移動体識別システムにおいて、前記第１の移相器の位相量を０度、前記第２の移相器の位相量を１７０度、前記第３の移相器の位相量を１８０度とするものであり、応答器が変調度の大きい位相変調と、変調度の小さい位相変調をすることによって、質問器が複数の応答器からの応答信号を変調度の違いで分離し、各応答器からの応答信号を同時に復調することを可能にすることで、小型かつ安価で、同一エリア内の複数応答器のデータを短時間で読み取ることができるという作用を有する。
【００２０】
請求項８に記載の発明は、請求項６に記載の移動体識別システムにおいて、前記応答器の応答信号は、固体認識データ列と情報データ列を含むデータ列で構成され、固体認識データ列送信時には第１、第３の移相器を切り替えることによって、前記質問器からの信号を応答信号としての反射波に位相変調し、情報データ列送信時には、前記第１、第２の移相器を切り替えることによって位相変調するものであり、応答器が固体認識データ列送信時の変調度と、情報データ列送信時の変調度を切り替えることによって、複数の応答器から固体認識データ列と情報データ列が同時に送られてきても、質問器が変調度の違いによって応答信号を分離し、同時に復調することを可能にすることで、小型かつ安価で、同一エリア内の複数応答器のデータを短時間で読み取ることができるという作用を有する。
【００２１】
請求項９に記載の発明は、出力信号を発生する信号源、前記信号源からの出力信号を変調する変調部、前記変調部にて変調された出力信号を送信するアンテナ、前記アンテナによって受信された応答信号としての反射波を出力信号と分波する分波器、前記応答信号を復調する復調部、前記復調部からの信号を処理するデータ処理部、前記処理部のデータに基づいて質問器を制御する制御部、を有した質問器と、前記質問器から送出される信号が入力されるとともに、前記質問器のアンテナに応答信号を送出する応答器用アンテナ、受信した前記入力信号を復調する復調部、前記質問器との通信の回数に応じて、前記復調部の復調毎に、前記応答信号に用いる入力信号の変調度および反射量を制御する制御信号を出力する制御部、異なる減衰量による減衰信号を出力する減衰器と、前記減衰信号を、異なる位相量により位相変調する第１、第２、第３の移相器と、前記減衰信号と前記移相器との異なる組合せを、前記質問器との通信の回数に応じて、前記復調部の復調毎に、切り替る切り替え器と、を前記制御信号を用いて制御して、位相変調し、前記応答信号として出力する変調部、を有した応答器と、を含む移動体識別システムとしたものである。
【００２２】
これにより、応答器が減衰量の異なる減衰器及び位相量の異なる移相器を用いて、質問器からの信号を位相変調することによって、応答器毎に反射量及び変調度の異なる波を応答信号として反射し、質問器が複数の応答器からの応答信号を、反射量及び変調度の違いによって分離し、各応答器からの応答信号を同時に復調することを可能にするで、小型かつ安価で、同一エリア内の複数応答器のデータを短時間で読み取ることができるという作用を有する。
【００２３】
更に、応答器が任意の変調度を選択することによって、通信の都度、変調度の異なる波を応答信号として反射し、質問器が複数の応答器からの応答信号を変調度の違いによって分離し、各応答器からの応答信号を同時に復調することを可能にすることで、小型かつ安価で、同一エリア内の複数応答器のデータを短時間で読み取ることができるという作用を有する。
【００２４】
更に、応答器が任意の減衰量と変調度を選択することによって、通信の度に反射量及び変調度の異なる波を応答信号として反射し、質問器が複数の応答器からの応答信号を信号強度及び変調度の違いによって分離し、各応答器からの応答信号を同時に復調することを可能にすることで、小型かつ安価で、同一エリア内の複数応答器のデータを短時間で読み取ることができるという作用を有する。
【００２５】
請求項１０に記載の発明は、請求項９に記載の移動体識別システムにおいて、第１回目の復調信号は、前記質問器からの入力信号を減衰器で減衰させ、前記第１、第２の移相器を切り替えることによって、応答信号としての反射波に位相変調し、第２回目の復調信号は、前記減衰器を用いず、前記第１、第２の移相器を切り替えることによって位相変調し、第３回目の復調信号は、前記減衰器を用いず、前記第１、第３の移相器を切り替えることによって位相変調するものであり、応答器が通信時の反射量と変調度を切り替えることによって、質問器がデータの読み取りに失敗した応答器の応答信号を変調度の違いによって分離、復調することで、小型かつ安価で、同一エリア内の複数応答器のデータを短時間で読み取ることができるという作用を有する。
【００２６】
請求項１１に記載の発明は、請求項９に記載の移動体識別システムにおいて、前記第１の移相器の位相量を０度、前記第２の移相器の位相量を１７０度、前記第３の移相器の位相量を１８０度とするものであり、応答器が変調度の大きい位相変調と、変調度の小さい位相変調をすることによって、質問器が複数の応答器からの応答信号を変調度の違いで分離し、各応答器からの応答信号を同時に復調することを可能にすることで、小型かつ安価で、同一エリア内の複数応答器のデータを短時間で読み取ることができるという作用を有する。
【００２７】
請求項１２に記載の発明は、請求項９に記載の移動体識別システムにおいて、前記減衰器の減衰量を１０ｄＢとするものであり、応答器が反射量の異なる反射波を応答信号とすることによって、質問器が複数の応答器からの応答信号を変調度の違いで分離し、各応答器からの応答信号を同時に復調することを可能にすることで、小型かつ安価で、同一エリア内の複数応答器のデータを短時間で読み取ることができるという作用を有する。
【００２８】
請求項１３に記載の発明は、請求項９に記載の移動体識別システムにおいて、前記応答器の応答信号は、固体認識データ列と情報データ列とを含むデータ列で構成され、固体認識データ列送信時には前記減衰器を用いず、前記第１、第３の移相器を切り替えることによって、応答信号としての反射波に位相変調し、情報データ列送信時には前記減衰器で減衰させ、前記第１、第３の移相器を切り替えることによって位相変調するものであり、応答器が固体認識データ列送信時の変調度と、情報データ列送信時の反射量を切替えることによって、複数の応答器から固体認識データ列と情報データ列が同時に送られてきても、質問器が反射量の違いによって応答信号を分離し、同時に復調することを可能にすることで、小型かつ安価で、同一エリア内の複数応答器のデータを短時間で読み取ることができるという作用を有する。
【００２９】
請求項１４に記載の発明は、請求項９に記載の移動体識別システムにおいて、前記応答器の応答信号は、固体認識データ列と情報データ列とを含むデータ列で構成され、第1回目の固体認識データ列送信時には前記質問器からの信号を前記減衰器で減衰させ、前記第１、第３の移相器を切り替えることによって、応答信号としての反射波に位相変調し、第1回目の情報データ列送信時には前記質問器からの信号を前記減衰器で減衰させ、前記第１、第２の移相器を切り替えることによって位相変調し、第２回目以降の固体認識データ列送信時には前記減衰器を用いず、前記第１、第３の移相器を切り替えることによって、応答信号としての反射波に位相変調し、第２回目以降の情報データ列送信時には前記減衰器を用いず、前記第１、第２の移相器を切り替えることによって位相変調するものであり、応答器が第1回目通信時の変調度と、第2回目以降の通信時の変調度を切り替えることによって、質問器が第1回目通信にてデータの読み取りに失敗した応答器の応答信号を変調度の違いによって分離、復調することで、小型かつ安価で、同一エリア内の複数応答器のデータを短時間で読み取ることができるという作用を有する。
【００３０】
請求項１５に記載の発明は、請求項１、５および９のいずれかに記載の移動体識別システムにおいて、前記質問器からの送信中止命令を認識し、前記応答器からの応答信号送信を中止するものであり、通信の完了した応答器が質問器からの送信中止命令を受けて応答信号の送信を中止することによって、質問器が同時に通信を行う応答器の数を減らし、応答信号の分離、復調を容易にすることで、小型かつ安価で、同一エリア内の複数応答器のデータを短時間で読み取ることができるという作用を有する。
【００３１】
請求項１６に記載の発明は、請求項１、５および９のいずれかに出力信号を送信するアンテナと応答信号を受信する受信アンテナを有する質問器と、前記質問器と通信を行う応答器より構成されるものであり、送信アンテナと受信アンテナを分離することによって、質問器が応答信号を分離、復調する際の、送信信号による干渉を軽減することで、小型かつ安価で、同一エリア内の複数応答器のデータを短時間で読み取ることができるという作用を有する。
【００３２】
以下、本発明の実施の形態について、図１から図５を用いて説明する。
【００３３】
（実施の形態１）
図１は本発明の実施の形態１における移動体識別システムのブロック図を示し、一つの質問器１０２に対して２つの応答器１０３ａ、１０３ｂがある。図１において質問器側アンテナ１０１と応答器側アンテナ１０４は、質問器１０２と応答器１０３の間のマイクロ波通信のアンテナの作用を行うもので、例えば単一または複数のパッチアンテナから構成されている。
【００３４】
質問器１０２の信号源１０５によって発生したマイクロ波信号は変調部１１５で変調された後、分配回路１０６によって送信側および受信側に分配され、送信側の信号は分波器１０７を通って質問器側アンテナ１０１より送信される。
【００３５】
送信されたマイクロ波信号は応答器１０３ａ、１０３ｂの応答器側アンテナ１０４に受信され、制御部１０８より発せられた制御信号によってＡＳＫ変調部１０９によって反射率を変化させることでＡＳＫ変調され、応答器側アンテナ１０４より質問器１０２に送信される。
【００３６】
ＡＳＫ変調部１０９は、反射条件切り替え器１１３と０ｄＢ吸収器１１２ａ、１０ｄＢ吸収器１１２ｂ、２０ｄＢ吸収器１１２ｃより構成され、毎通信時に、制御部１０８が乱数発生部１１７によって発生した乱数をもとに任意の２つの吸収器を選択、切り替えることによってＡＳＫ変調する。
【００３７】
応答器１０３ａ、１０３ｂより送信されたＡＳＫ変調されたマイクロ波は質問器側アンテナ１０１で受信され、分波器１０７によって受信側に分配され、受信復調部１１０によって復調されデータ処理部１１１によって処理され応答器１０３ａ、１０３ｂからのデータを読み取る。
【００３８】
以上のように各応答器１０３ａ、１０３ｂが、通信の都度、吸収量の異なる任意の吸収器を用いて質問器１０２からの信号を振幅変調することによって、各応答器１０３ａ、１０３ｂ毎からの応答信号は、通信の度に変調度が異なり、質問器１０２が複数の応答器１０３ａ、１０３ｂからの応答信号を変調度の違いによって分離し、各応答器１０３ａ、１０３ｂからの応答信号を同時に復調することを可能にすることによって、通信エリア内の複数の応答器１０３ａ、１０３ｂが同時に応答信号を送信しても、質問器１０２が複数応答器１０３ａ、１０３ｂのデータを短時間で読み取ることができる移動体識別システムを実現できる。
【００３９】
なお、以上の説明では、吸収器１１２ａ、１１２ｂ、１１２ｃを０ｄＢ、１０ｄＢ、２０ｄＢの３段階で構成した例で説明したが、更に多段階に分割して構成しても同様に実施可能である。
【００４０】
また、以上の説明では、第１の応答器１０３ａと第２の応答器１０３ｂの２つの応答器で構成した例で説明したが、３つ以上の応答器が存在しても同様に実施可能である。
【００４１】
また、通信によって質問器１０２がデータを読み取ることができた応答器１０３ａ、１０３ｂが、質問器１０２より発せられた送信中止信号を受信して、データの送信を中止するように構成してもよい。
【００４２】
（実施の形態２）
図２は本発明の実施の形態２における移動体識別システムのブロック図を示す。図２において、図１の第１の実施の形態と異なるのは、通信回数に応じて異なる変調度のＡＳＫ変調を行った点である。図２において質問器側アンテナ２０１と応答器側アンテナ２０４は、質問器２０２と応答器２０３ａ、２０３ｂの間のマイクロ波通信のアンテナの作用を行うもので、例えば単一または複数のパッチアンテナから構成されている。
【００４３】
質問器２０２の信号源２０５によって発生したマイクロ波信号は変調部２１５で変調された後、分配回路によって送信側および受信側に分配され、送信側の信号は分波器２０７を通って質問器側アンテナ２０１より送信される。送信されたマイクロ波信号は応答器２０３ａ、２０３ｂの応答器側アンテナ２０４に受信され、制御部２０８より発せられた制御信号によってＡＳＫ変調部２０９によって反射率を変化させることでＡＳＫ変調され、応答器側アンテナ２０４より質問器２０２に送信される。
【００４４】
ＡＳＫ変調部２０９は、反射条件切り替え器２１３と０ｄＢ吸収器２１２ａ、１０ｄＢ吸収器２１２ｂおよび２０ｄＢ吸収器２１２ｃより構成され、第１回の通信時には０ｄＢ吸収器２１２aと１０ｄＢ吸収器２１２Ｂを切り替えることによってＯＮ−ＯＦＦ比１０ｄＢのＡＳＫ変調する。
【００４５】
応答器２０３ａ、２０３ｂより送信されたＡＳＫ変調されたマイクロ波は質問器側アンテナ２０１で受信され、分波器２０７によって受信側に分配され、受信復調部２１０によって復調されデータ処理部２１１によって処理され応答器２０３ａ、２０３ｂからのデータを読み取る。
【００４６】
第１回の通信によってデータを読み取ることができた場合、質問器２０２の制御部２１４より発せられた制御信号によって送信信号を変調し、応答器２０３ａ、２０３ｂに対しデータの送信中止要求を送信する。中止要求を受けなかった応答器２０３ａ、２０３ｂは、０ｄＢ吸収器２１２ａと２０ｄＢ吸収器２１２ｃを切り替えることによってＯＮ−ＯＦＦ比２０ｄＢのＡＳＫ変調し、信号の再送を行う。
【００４７】
以上のように各応答器２０３ａ、２０３ｂが、第１回目通信時のＯＮ−ＯＦＦ比を小さく、第２回目以降通信時のＯＮ−ＯＦＦ比を大きくすることによって、質問器２０２が第１回目通信にてデータの読み取りに失敗した応答器２０３ａ、２０３ｂの応答信号を変調度の違いで分離、復調することによって、通信エリア内の複数の応答器２０３ａ、２０３ｂが同時に応答信号を送信しても、質問器２０２が複数応答器２０３ａ、２０３ｂのデータを短時間で読み取ることができる移動体識別システムを実現できる。
【００４８】
なお、以上の説明では、吸収器２１２を０ｄＢ、１０ｄＢ、２０ｄＢの３段階で構成した例で説明したが、更に多段階に分割して構成しても同様に実施可能である。
【００４９】
また、以上の説明では、第１の応答器２０３ａと第２の応答器２０３ｂの２つの応答器で構成した例で説明したが、３つ以上の応答器が存在しても同様に実施可能である。
【００５０】
また、以上の説明では、全ての応答器２０３ａ、２０３ｂが第２回目以降の通信にて変調度を切り替える構成の例で説明したが、応答器２０３ａ、２０３ｂによって異なる通信回数にて変調度を切り替える構成としても同様に実施可能である。
【００５１】
（実施の形態３）
図３は本発明の実施の形態３における移動体識別システムのブロック図を示す。図３において、図１の第１の実施の形態と異なるのは、異なる位相量の移相器を用いたＰＳＫ変調を行った点である。図３において質問器３０２の信号源３０５によって発生したマイクロ波信号は分配回路３０６によって送信側および受信側に分配され、送信側の信号は分波器３０７を通って質問器側アンテナ３０１より送信される。
【００５２】
送信されたマイクロ波信号は応答器３０３の応答器側アンテナ３０４で受信され、制御部３０８より発せられた制御信号によってＰＳＫ変調部３０９によって位相を変化させることでＰＳＫ変調され、応答器側アンテナ３０４より質問器３０２に送信される。
【００５３】
ＰＳＫ変調部３０９は、反射条件切り替え器３１３と０度移相器３１２ａ、１７０度移相器３１２ｂ、１８０度移相器３１２ｃより構成され、第１回の通信時には０度移相器３１２aと１７０度移相器３１２ｂを切り替えることによってＰＳＫ変調する。
【００５４】
応答器３０３ａ、３０３ｂより送信されたＰＳＫ変調されたマイクロ波は質問器側アンテナ３０１で受信され、分波器３０７によって受信側に分配され、受信復調部３１０によって復調されデータ処理部３１１によって処理され応答器３０３ａ、３０３ｂからのデータを読み取る。
【００５５】
第１回の通信によってデータを読み取ることができた場合、質問器３０２の制御部３１４より発せられた制御信号によって送信信号を変調し、応答器３０３ａ、３０３ｂに対しデータの送信中止要求を送信する。中止要求を受けなかった応答器３０３ａ、３０３ｂは、０度移相器３１２ａと１８０度移相器３１２ｃを切り替えることによってＰＳＫ変調し、信号の再送を行う。
【００５６】
以上のように各応答器３０３ａ、３０３ｂが、第１回目の通信と第２回目以降の通信の応答信号の変調度を変えることによって、質問器３０２が第１回目通信にてデータの読み取りに失敗した応答器３０３ａ、３０３ｂの応答信号を変調度の違いで分離、復調することによって、通信エリア内の複数の応答器３０３ａ、３０３ｂが同時に応答信号を送信しても、質問器３０２が複数応答器３０３ａ、３０３ｂのデータを短時間で読み取ることができる移動体識別システムを実現できる。
【００５７】
なお、以上の説明では、移相器３１２を０度、１７０度、１８０度の３段階で構成した例で説明したが、更に多段階に分割して構成しても同様に実施可能である。
【００５８】
また、以上の説明では、第１の応答器３０３ａと第２の応答器３０３ｂの２つの応答器で構成した例で説明したが、３つ以上の応答器が存在しても同様に実施可能である。
【００５９】
また、以上の説明では、ＰＳＫ変調を０度移相器３１２ａと１７０度移相器３１２ｂまたは、０度移相器３１２ａと１８０度移相器３１２ｃを組み合わせることによって実施した例について説明したが、０度移相器３１２ａを１０度移相器、２０度移相器として組み合わせた構成としても同様に実施可能である。
【００６０】
また、以上の説明では、ＰＳＫ変調を用いた例で説明したが、０度移相器、８０度移相器、９０度移相器、１７０度移相器、１８０度移相器、２６０度移相器、２７０度移相器を用いたＱＰＳＫ変調を用いても同様に実施可能である。
【００６１】
また、以上の説明では第１回目の通信時と第２回目以降の通信時で、応答信号の変調度を変える例で説明したが、数回、例えば第３回目と第４回目以降の通信時で答信号の変調度を変えるように構成してもよい。
【００６２】
また、以上の説明では第１回目の通信時と第２回目以降の通信時で、応答信号の変調度を変える例で説明したが、通信の際に適宜変調度を変えるように構成してもよい。
【００６３】
（実施の形態４）
図４は本発明の実施の形態４における移動体識別システムのブロック図を示す。図４において、図１の第１の実施の形態と異なるのは、異なる位相量の移相器と減衰器を組合せたＰＳＫ変調を行った点である。図４において質問器４０２の信号源４０５によって発生したマイクロ波信号は分配回路４０６によって送信側および受信側に分配され、送信側の信号は分波器４０７を通って質問器側アンテナ４０１より送信される。
【００６４】
送信されたマイクロ波信号は応答器４０３の応答器側アンテナ４０４に受信され、制御部４０８より発せられた制御信号によってＰＳＫ変調部４０９によって位相を変化させることでＰＳＫ変調され、応答器側アンテナ４０４より質問器４０２に送信される。
【００６５】
ＰＳＫ変調部４０９は、反射条件切り替え器４１３、減衰器４１７、０度移相器４１２ａ、１８０度移相器４１２ｂより構成され、第１回の通信時には減衰器４１７によって減衰させた信号が０度移相器４１２aと１８０度移相器４１２ｂを切り替えることによってＰＳＫ変調する。
【００６６】
減衰器４１７としては例えば１０ｄＢの減衰量とする。応答器４０３ａ、４０３ｂより送信されたＰＳＫ変調されたマイクロ波は質問器側アンテナ４０１で受信され、分波器４０７によって受信側に分配され、受信復調部４１０によって復調されデータ処理部４１１によって処理され応答器４０３ａ、４０３ｂからのデータを読み取る。
【００６７】
第１回の通信によってデータを読み取ることができた場合、質問器４０２の制御部４１４より発せられた制御信号によって送信信号を変調し、応答器４０３ａ、４０３ｂに対しデータの送信中止要求を送信する。中止要求を受けなかった応答器４０３ａ、４０３ｂは、減衰器４１７によって減衰させない信号を０度移相器４１２ａと１８０度移相器４１２ｂを切り替えることによってＰＳＫ変調し、信号の再送を行う。
【００６８】
以上のように各応答器４０３ａ、４０３ｂが、第1回目の通信と第２回目以降の通信の応答信号の変調度及び反射量を変えることによって、質問器４０２が第１回目通信にてデータの読み取りに失敗した応答器４０３ａ、４０３ｂの応答信号を変調度及び反射量の違いで分離、復調することによって、通信エリア内の複数の応答器４０３ａ、４０３ｂが同時に応答信号を送信しても、質問器４０２が複数応答器４０３ａ、４０３ｂのデータを短時間で読み取ることができる移動体識別システムを実現できる。
【００６９】
なお、以上の説明では、減衰器４１７の減衰量を１０ｄＢで構成した例で説明したが、５ｄＢ、１５ｄＢなどの他の減衰量の減衰器で構成しても同様に実施可能である。
【００７０】
また、以上の説明では、第１の応答器４０３ａと第２の応答器４０３ｂの２つの応答器で構成した例で説明したが、３つ以上の応答器が存在しても同様に実施可能である。
【００７１】
また、以上の説明では、減衰器４１７を１つで構成した例について説明したが、複数減衰器、例えば５ｄＢ、１０ｄＢ、１５ｄＢで構成し、切り替える構成としても同様に実施可能である。
【００７２】
また、以上の説明では、ＰＳＫ変調を用いた例で説明したが、０度移相器、９０度移相器、１８０度移相器、２７０度移相器を用いたＱＰＳＫ変調を用いても同様に実施可能である。
【００７３】
また、以上の説明では、０度移相器４１２ａ、１８０度移相器４１２ｂを用いた例で説明したが、他の移相器、例えば１７０度移相器を用いて、減衰量とともに移相変化量を切り替える構成としても同様に実施可能である。
【００７４】
（実施の形態５）
図５は本発明の実施の形態５における移動体識別システムの通信方式を示す。データ列は固体認識データ列と情報データ列によって構成される。第１の実施の形態と異なるのは、通信データに応じて異なる変調度のＡＳＫ変調を行った点である。
【００７５】
通信エリア内に順次進入してきた応答器５０１ａ、５０１ｂ、５０１ｃ、５０１ｄは質問器５１０より送信されたマイクロ波信号を、固体認識データ列５０２送信時にはＯＮ−ＯＦＦ比２０ｄＢの変調度、情報データ列５０３送信時には１０ｄＢの変調度で反射することで、応答信号を返送する。固体認識データ列５０２は情報データ列５０３より少なく、例えば固体認識データ列５０２を４バイト、情報データ列５０３を１２８バイトとする。情報データ列５０３ａと固体認識データ列５０２ｂは同時に質問器５１０に送信されているが、質問器５１０では変調度の大きい固体認識データ列５０２ｂのみを分離、復調し、応答器５０１ｂのデータを読み取る。
【００７６】
その後、応答器５０１ｂに対して送信中止命令５０４を送信し、応答信号送出を中止させる。同様にして、情報データ列５０３ｃと固体認識データ列５０５ａ、情報データ列５０６ｃと固体認識データ列５０２ｄが同時に送信されているが、質問器５１０では変調度の大きい固体認識データ列５０５ａ、５０２ｄのみを分離、復調し、応答器５０１ａ、５０１ｄのデータを読み取る。質問器５１０は受信した固体認識データ列５０２、５０５を管理し、情報データ列５０３、５０６を読み取れていない応答器５０１（図５では応答器５０１ｃ）が存在する限り読み取りを続ける。
【００７７】
以上のように各応答器５０１ａ、５０１ｂ、５０１ｃ、５０１ｄが、データ量が少なく、通信時間の短い固体認識データ列通信時と、データ量が多く、通信時間の長い情報データ列通信時の応答信号の変調度を変えることで、質問器５１０は複数の応答器５０１ａ、５０１ｂ、５０１ｃ、５０１ｄの固体認識データ列を変調度の違いで分離、認識し、エリア内の応答器を管理することができるため、通信エリア内の複数の応答器５０１ａ、５０１ｂ、５０１ｃ、５０１ｄが同時に応答信号を送信しても、質問器５１０が複数応答器５０１ａ、５０１ｂ、５０１ｃ、５０１ｄのデータを短時間かつ、読み取り残しなく読み取ることができる移動体識別システムを実現できる。
【００７８】
なお、以上の説明では、応答器５０１ａ〜応答器５０１ｄの４つの応答器で構成した例で説明したが、５つ以上の応答器が存在しても同様に実施可能である。
【００７９】
また、以上の説明では、応答器５０１ａ、５０１ｂ、５０１ｃ、５０１ｄがＡＳＫ変調を行う構成の例で説明したが、変調度の異なる位相器を用いてＰＳＫ変調するように構成しても同様に実施可能である。
【００８０】
また、以上の説明では、変調度の大きい応答信号のみの復調を行う構成の例で説明したが、変調度の小さい応答信号も分離、復調するように構成しても同様に実施可能である。
【００８１】
また、以上の説明では、データ読み取りの完了した応答器５０１ａ、５０１ｂ、５０１ｃ、５０１ｄに対して送信中止命令を送信する構成の例で説明したが、あわせて、データの読み取りが完了していない応答器５０１ａ、５０１ｂ、５０１ｃ、５０１ｄに対して、特定のタイミングでデータの再送を行わせるための再送命令を送信するように構成しても同様に実施可能である。
【００８２】
【発明の効果】
以上のように本発明によれば、小型かつ安価で、同一エリア内の複数応答器の読み取り可能な移動体識別システムが実現できるという有利な効果が得られる。
【図面の簡単な説明】
【図１】本発明の実施の形態１による移動体識別システムを示すブロック図
【図２】本発明の実施の形態２による移動体識別システムを示すブロック図
【図３】本発明の実施の形態３による移動体識別システムを示すブロック図
【図４】本発明の実施の形態４による移動体識別システムを示すブロック図
【図５】本発明の実施の形態５による移動体識別システムの通信方式を示す図
【図６】従来の非接触ＩＣカードシステムの通信方法を説明する図
【符号の説明】
１０１、２０１、３０１、４０１、５０１  質問器側アンテナ
１０２、２０２、３０２、４０２、５１０  質問器
１０３、２０３、３０３、４０３  応答器
１０４、２０４、３０４、４０４  応答器側アンテナ
１０５、２０５、３０５、４０５  信号源
１０６、２０６、３０６、４０６  分配回路
１０７、２０７、３０７、４０７  分波器
１０８、２０８、３０８、４０８制御部
１０９、２０９  ＡＳＫ変調部
１１０、２１０、３１０、４１０  受信復調部
１１１、２１１、３１１、４１１  データ処理部
１１２、２１２  吸収器
１１３、２１３、３１３、４１３切り替え器
１１４、２１４、３１４、４１４制御部
１１５、２１５、３１５、４１５  変調部
１１６、４１６  復調部
１１７  乱数発生部
３０９、４０９  ＰＳＫ変調部
３１２、４１２  移相器
４１７  減衰器
５０２  固体認識データ列
５０３  情報データ列
５０４  送信中止命令
５０５  固体認識データ列
５０６  情報データ列
５０７  送信中止命令
５０８  送信中止命令
【図１】
0003893802.tif 000002
【図２】
0003893802.tif 000003
【図３】
0003893802.tif 000004
【図４】
0003893802.tif 000005
【図５】
0003893802.tif 000006
【図６】
0003893802.tif 000007